(57)【要約】【課題】複数の映像信号を１フィールド内で高速に切り替える映像表示システムにおいて、映像信号の処理速度の高速化を必要とせず、且つ、全ての映像信号の出力が停止しない限り映像表示を継続可能にする。【解決手段】第１表示制御装置１１および第２表示制御装置１２は、それぞれ単独で表示装置１０を制御可能である。映像信号の１フィールドは第１期間と第２期間とに分割され、第１期間では、第１表示制御装置１１が表示装置１０に第１映像信号を表示させ、第２期間では、第２表示制御装置１２が表示装置１０に第２映像信号を表示させる。【選択図】図１
2006005830.tif 000002
【特許請求の範囲】
【請求項１】
表示装置と、
前記表示装置を単独で制御可能であり、所定の映像信号を第１の色バランスに変調した第１映像信号を出力する第１制御装置と、
前記表示装置を単独で制御可能であり、前記所定の映像信号を前記第１の色バランスと異なる第２の色バランスに変調した第２映像信号を出力する第２制御装置とを含む表示ユニットを備え、
前記所定の映像信号の１フィールドは、第１期間と第２期間とに分割され、
前記第１期間では、前記第１制御装置が前記表示装置に前記第１映像信号を表示させ、
前記第２期間では、前記第２制御装置が前記表示装置に前記第２映像信号を表示させる
ことを特徴とする映像表示システム。
【請求項２】
請求項１記載の映像表示システムであって、
前記第１または第２期間のみに撮像するようにシャッターの開閉を制御可能なカメラをさらに備える
ことを特徴とする映像表示システム。
【請求項３】
請求項１または請求項２記載の映像表示システムであって、
前記第１および第２制御装置のそれぞれは、互いに相手の動作停止を検出可能であり、それを検出すると、前記表示装置に対し、前記第１および第２期間の両方に渡って、前記映像信号を前記第１および第２の色バランスと異なる第３の色バランスに変調した第３映像信号を表示させる
ことを特徴とする映像表示システム。
【請求項４】
請求項１または請求項２記載の映像表示システムであって、
前記第１および第２制御装置のそれぞれは、互いに相手の動作停止を検出可能であり、それを検出すると、前記表示装置に対し、前記第１および第２期間の両方に渡って前記第１または第２映像信号を表示させる
ことを特徴とする映像表示システム。
【請求項５】
請求項１または請求項２記載の映像表示システムであって、
前記表示ユニットは、
前記第１および第２制御装置と同様に前記表示装置を制御可能な、予備の第３制御装置をさらに備え、
当該第３制御装置は、
前記第１および第２制御装置の動作停止を検出可能であり、
前記第１制御装置の動作停止を検出すると、当該第１制御装置に代わって、前記第１映像信号を出力すると共に、前記表示装置に対し前記第１期間に前記第１映像信号を表示させ、
前記第２制御装置の動作停止を検出すると、当該第２制御装置に代わって、前記第２映像信号を出力すると共に、前記表示装置に対し前記第２期間に前記第２映像信号を表示させる
ことを特徴とする映像表示システム。
【請求項６】
請求項１から請求項５のいずれか記載の映像表示システムであって、
前記表示ユニットを複数個備え、
前記複数の表示ユニットの前記表示装置は並べて配設されており、当該複数の表示装置全体で１つのスクリーンを構成している
ことを特徴とする映像表示システム。
【請求項７】
表示装置と、
前記表示装置を単独で制御可能であり、所定の立体映像のための右目用の映像信号である第１映像信号を出力する第１制御装置と、
前記表示装置を単独で制御可能であり、前記所定の立体映像のための左目用の映像信号である第２映像信号を出力する第２制御装置とを含む表示ユニットを備え、
前記所定の映像信号の１フィールドは、第１期間と第２期間とに分割され、
前記第１期間では、前記第１制御装置が前記表示装置に前記第１映像信号を表示させ、
前記第２期間では、前記第２制御装置が前記表示装置に前記第２映像信号を表示させる
ことを特徴とする映像表示システム。
【請求項８】
請求項７記載の映像表示システムであって、
前記第１期間には左目側を閉じ、前記第２期間には右目側を閉じるようにシャッターの開閉を制御可能なシャッター付きメガネをさらに備える
ことを特徴とする映像表示システム。
【請求項９】
請求項７または請求項８記載の映像表示システムであって、
前記第１および第２制御装置のそれぞれは、互いに相手の動作停止を検出可能であり、
前記第１制御装置は、前記第２制御装置の動作停止を検出すると、前記表示装置に対し、前記第１および第２期間の両方に渡って前記第１映像信号を表示させ、
前記第２制御装置は、前記第１制御装置の動作停止を検出すると、前記表示装置に対し、前記第１および第２期間の両方に渡って前記第２映像信号を表示させる
ことを特徴とする映像表示システム。
【請求項１０】
請求項７または請求項８記載の映像表示システムであって、
前記表示ユニットは、
前記第１および第２制御装置と同様に前記表示装置を制御可能な予備の第３制御装置をさらに備え、
当該第３制御装置は、
前記第１および第２制御装置の動作停止を検出可能であり、
前記第１制御装置の動作停止を検出すると、当該第１制御装置に代わって、前記第１映像信号を出力すると共に前記表示装置に対し前記第１期間に前記第１映像信号を表示させ、
前記第２制御装置の動作停止を検出すると、当該第２制御装置に代わって、前記第２映像信号を出力すると共に前記表示装置に対し前記第２期間に前記第２映像信号を表示させる
ことを特徴とする映像表示システム。
【請求項１１】
請求項７から請求項１０のいずれか記載の映像表示システムであって、
前記表示ユニットを複数個備え、
前記複数の表示ユニットの前記表示装置は並べて配設されており、当該複数の表示装置全体で１つのスクリーンを構成している
ことを特徴とする映像表示システム。
【発明の詳細な説明】
【技術分野】
【０００１】
本発明は、映像表示システムに関するものであり、特に、複数の映像信号を切替え表示するためのシステムに関するものである。
【背景技術】
【０００２】
一般に、テレビ放送のスタジオや舞台などにおいて、バックに置かれる表示装置の画面に表示された映像がビデオカメラで再撮像されて放送されることがある。このとき、再撮像される表示装置の映像の色バランスを通常の照明の色温度に合わせ変調整しておけば、その映像を再撮像した映像（以下「再撮像映像」と称する）はきれいに色再現される。しかし、そのような色バランスに変調された表示装置の映像を肉眼で見ると、過度に赤が強調されたものになっている。逆に、肉眼で自然な色バランスに見える映像を、カメラで再撮像したときの再撮像映像は、過度に青が強調されたものになってしまう。そのため従来は、表示装置の映像を直視したときの色バランスと、その再撮像映像の色バランスとの両方を良好にすることができなかった。
【０００３】
その問題を解決するために、互いに色バランスの異なる映像を１フィールド内で高速に切り替えて表示する映像表示システムが提案されている（例えば、特許文献１）。当該システムでは、映像信号の１フィールドが第１期間と第２期間とに分割される。表示装置の画面には、第１期間ではカメラでの再撮像に適した色バランス（例えば赤みがかった映像）に変調した映像を表示し、第２期間では第１期間の表示映像の色バランスに対して補色となるように変調した映像を表示する。表示装置の画面を再撮像する場合は、カメラのシャッターの開閉を制御して第１期間の映像のみを撮像することで、良好な色バランスの再撮像映像が得られる。一方、画面を肉眼で直視すると、第１および第２期間色バランスが残像効果によって平均され、自然な色合いが得られる。
【０００４】
一方、１フィールド内で映像を高速に切り替える技術を利用した他の例として、立体映像表示システムが提案されている（例えば、特許文献２）。当該立体映像表示システムでは、共通の被写体をそれぞれ斜め左側と斜め右側とから撮影して得た左目映像および右目映像を、共通の表示手段で交互に表示するよう切り換えるものである。
【０００５】
また、複数の画像処理部を有し、それらが出力する複数の映像信号を手動で切り替えることが可能な画像表示システムもある（例えば、特許文献３）。
【０００６】
【特許文献１】特開２００２−２７４９２号公報
【特許文献２】特開平８−２５１６２８号公報
【特許文献３】特開平１１−３４４９６５号公報
【発明の開示】
【発明が解決しようとする課題】
【０００７】
上記特許文献１の映像表示システムでは、１フィールドを第１期間と第２期間とに分割して映像を切り替えるために、表示装置を駆動する制御装置へ、通常の２倍の速度でデータを送る必要があった。言い換えれば、通常の２倍の速度の処理能力を有する制御装置が必要であり、コストの上昇を招くことが懸念される。
【０００８】
一方、特許文献２の立体映像表示システムでは、右目映像と左目映像とはそれぞれ個別の回路で通常の速度（例えば２８フレーム／秒）で生成される。得られた右目映像並びに左目映像は、一旦フレームメモリに記憶される。右目映像と左目映像の切替えは、メモリ制御回路がフレームメモリから右目映像と左目映像とを交互に読み出して表示装置に出力することで行う。右目映像および左目映像の切替えを、共通の切替回路（フレームメモリおよびメモリ制御回路）が行っているので、それが故障すると、右目映像と左目映像とが正常に生成されていても表示画面には何も表示されないことになる。例えばスタジアムや競技場などに設置される大型映像表示装置は、複数の表示装置を並べて配設して全体で１つのスクリーンを構成している。そのうちの１つの表示装置に何も表示されなくなると、当該スクリーンの一部が欠けてしまう。
【０００９】
本発明は以上のような課題を解決するためになされたものであり、複数の映像信号を１フィールド内で高速に切り替える映像表示システムにおいて、データ処理速度の高速化を必要とせず、且つ、全ての映像信号の出力が停止しない限り映像表示を継続可能な映像表示システムを提供することを目的とする。
【課題を解決するための手段】
【００１０】
本発明の第１の局面では、映像表示システムは、表示装置と、前記表示装置を単独で制御可能であり、所定の映像信号を第１の色バランスに変調した第１映像信号を出力する第１制御装置と、前記表示装置を単独で制御可能であり、前記所定の映像信号を前記第１の色バランスと異なる第２の色バランスに変調した第２映像信号を出力する第２制御装置とを含む表示ユニットを備え、前記所定の映像信号の１フィールドは、第１期間と第２期間とに分割され、前記第１期間では、前記第１制御装置が前記表示装置に前記第１映像信号を表示させ、前記第２期間では、前記第２制御装置が前記表示装置に前記第２映像信号を表示させる。
【００１１】
本発明の第２の局面では、映像表示システムは、表示装置と、前記表示装置を単独で制御可能であり、所定の立体映像のための右目用の映像信号である第１映像信号を出力する第１制御装置と、前記表示装置を単独で制御可能であり、前記所定の立体映像のための左目用の映像信号である第２映像信号を出力する第２制御装置とを含む表示ユニットを備え、前記所定の映像信号の１フィールドは、第１期間と第２期間とに分割され、前記第１期間では、前記第１制御装置が前記表示装置に前記第１映像信号を表示させ、前記第２期間では、前記第２制御装置が前記表示装置に前記第２映像信号を表示させる。
【発明の効果】
【００１２】
第１の局面に係る映像表示システムによれば、第１映像信号の表示と第２映像信号との表示を、それぞれ第１制御装置および第２制御装置が個別に行うので、当該第１制御装置および第２制御装置が処理する１フィールドあたりのデータは、通常のシステム（映像信号の切替えを行なわないシステム）と同じく１画面分のデータでよい。よって、第１制御装置および第２制御装置は、それぞれ通常の処理能力を有するものでよく、コストの上昇が抑えられる。また、第１制御装置および第２制御装置が、それぞれ単独で表示装置を駆動可能であるので、第１制御装置および第２制御装置のいずれか片方が故障した場合も続けて映像を表示することができる。
【００１３】
第２の局面に係る映像表示システムによれば、第１映像信号の表示と第２映像信号との表示を、それぞれ第１制御装置および第２制御装置が個別に行うので、当該第１制御装置および第２制御装置が処理する１フィールドあたりのデータは、通常のシステム（立体映像表示を行なわないシステム）と同じく１画面分のデータでよい。よって、第１制御装置および第２制御装置は、それぞれ通常の処理能力を有するものでよく、コストの上昇が抑えられる。また、第１制御装置および第２制御装置が、それぞれ単独で表示装置を駆動可能であるので、第１制御装置および第２制御装置のいずれか片方が故障した場合も続けて映像を表示することができる。
【発明を実施するための最良の形態】
【００１４】
＜実施の形態１＞
図１は、本発明の実施の形態１に係る映像表示システムを示すブロック図である。同図の如く、当該映像表示システムは、映像信号生成装置１０１が生成する映像信号に基づいた映像を表示する表示ユニット１００を複数個有している。表示ユニット１００のそれぞれは、映像を画面に出力する表示装置１０と、当該表示装置１０の表示を制御する２つの制御装置、即ち第１表示制御装置１１および第２表示制御装置１２とから成っている。
【００１５】
表示装置１０は、非走査方式のものであり、例えば発光ダイオード（ＬＥＤ：Light Emitting Diode）ディスプレイ、液晶ディスプレイ（ＬＣＤ：Liquid Crystal Display）、プラズマディスプレイ（ＰＤＰ：Plasma Display Panel）、液晶方式やＤＬＰ（ＴＭ）（Digital Light Processing）方式のプロジェクタなどである。また、図示は省略するが、複数の表示ユニット１００のそれぞれが有している表示装置１０は、互いに並べて配設されており、それら全体で１つのスクリーンを構成している。なお、複数の表示ユニット１００の構成はそれぞれ同様であるので、以下では説明の簡単のため、１つの表示ユニット１００に着目して説明する。
【００１６】
第１表示制御装置１１および第２表示制御装置１２は、それぞれ単独で表示装置１０の表示制御が可能なものであり、且つ、互いに相手の故障による動作停止を検出することが可能になっている。具体的には、第１表示制御装置１１および第２表示制御装置１２は、互いに相手の映像信号出力を監視する回路を有しており、その出力が停止した場合、相手の装置が故障したと判定する。また、映像信号生成装置１０１も同様に、第１表示制御装置１１および第２表示制御装置１２の故障を検出することができるようになっている。
【００１７】
映像信号生成装置１０１は、所定の映像信号をカメラでの再撮像に適した第１の色バランス（例えば赤が強調された色バランス）に変調した第１映像信号と、当該所定の映像信号を第１の色バランスに対して補色の関係となるような第２の色バランスに変調した第２映像信号と、当該所定の映像信号を肉眼で自然な色合いが得られる第３の色バランスに変調した第３映像信号と、を生成可能である。
【００１８】
通常状態では、映像信号生成装置１０１は、第１映像信号を第１表示制御装置１１へ出力し、第２映像信号を第２表示制御装置１２へと出力する。そして第１表示制御装置１１および第２表示制御装置１２は、それぞれ所定の間隔（後述する）で交互に、映像信号生成装置１０１から入力された第１および第２映像信号を表示するよう表示装置１０を駆動する。
【００１９】
一方、第１表示制御装置１１または第２表示制御装置１２の故障を検出した場合には、映像信号生成装置１０１は、その故障していない側へ第３映像信号を出力する。第１表示制御装置１１および第２表示制御装置１２のそれぞれは、相手の故障（動作停止）を検出すると、映像信号生成装置１０１から入力された第３映像信号を連続して表示するよう表示装置１０を駆動するように構成されている。
【００２０】
また、この映像表示システムは、テレビ放送のスタジオや舞台などで使用されるものを想定しており、図１の如く、表示装置１０に表示される映像を再撮像するカメラ１０３を含んでいる。カメラ１０３は、シャッター制御装置１０２から出力されるシャッター制御信号よってシャッターの開閉が制御されている。シャッター制御装置１０２は、映像信号生成装置１０１により制御されている。
【００２１】
以下、本発明に係る映像表示システムの動作を説明する。
【００２２】
図２は、当該システムにおける通常状態の動作を示している。映像信号の１フィールドの長さは表示装置１０の表示能力により異なるが、この例では１／６０秒としている。即ち、表示装置１０の垂直同期信号には、１／６０秒の間隔で、ローアクティブの信号が現れる。
【００２３】
上述のように、通常状態では、第１表示制御装置１１および第２表示制御装置１２には、それぞれ第１および第２映像信号が入力される。第１および第２映像信号における１フィールド内の画像データは、通常（映像信号の切替えを行なわないシステム）と同じく１画面分のデータであり、図２の如く１フィールドごとに遷移する。つまり、第１表示制御装置１１と第２表示制御装置１２へのデータ転送速度は、通常の表示装置の場合と同等でよい。
【００２４】
映像信号生成装置１０１は、映像信号の１フィールドを前半の第１期間Ｐ１と後半の第２期間Ｐ２とに分割するための切替信号を生成する。即ち図２に示すように、切替信号がローレベルの間は第１期間Ｐ１であり、ハイレベルの間は第２期間Ｐ２である。
【００２５】
第１表示制御装置１１および第２表示制御装置１２は、映像信号生成装置１０１からの上記切替信号に同期して動作する。切替信号がローレベルの間は、第１表示制御装置１１が、表示装置１０を制御して第１映像信号を表示させる。一方、切替信号がハイレベルの間は、第２表示制御装置１１が、表示装置１０を制御して第２映像信号を表示させる。その結果、表示装置１０の画面出力は、図２の如く第１期間Ｐ１の間は第１映像信号の映像になり、第２期間Ｐ２の間は第２映像信号の映像になる。
【００２６】
映像信号生成装置１０１が生成する切替信号は、シャッター制御装置１０２にも入力される。シャッター制御装置１０２は、その切替信号に同期したシャッター制御信号をカメラ１０３に送信することで、当該カメラ１０３のシャッターの開閉を制御する。本実施の形態では、カメラ１０３は、第１期間Ｐ１の期間のみに撮像するようにシャッターの開閉が制御される。つまり、カメラ１０３が表示装置の画面を再撮像するときは、再撮像に適した第１映像信号の映像のみが撮像されるので、良好な色バランスの再撮像映像が得られる。よって、例えば、当該再撮像映像がテレビ放送された場合、視聴者（不図示）は自然な色合いの映像を見ることができる。
【００２７】
一方、表示装置１０の画面の再撮像する現場で表示装置１０の映像を見る人１０４の目には、第１および第２の期間に表示される映像の色バランスが残像効果によって平均されて見える。第２の色バランスは、第１の色バランスに対して補色の関係となっているので、人１０４の目には、表示装置１０に自然な色合いの映像が表示されているように見える。このように、本実施の形態では上記特許文献１と同様に、表示装置１０を直視したときに得られる色バランスと、その再撮像映像の色バランスとの両方が良好になる。
【００２８】
次に、第１表示制御装置１１および第２表示制御装置１２のいずれかが故障した場合の動作について説明する。上記のように、第１表示制御装置１１および第２表示制御装置１２は、互いの故障を検出することが可能であり、映像信号生成装置１０１は第１表示制御装置１１および第２表示制御装置１２の故障を検出することが可能である。また、第１表示制御装置１１および第２表示制御装置１２は、それぞれ単独で表示装置１０を制御することができるものである。
【００２９】
第１表示制御装置１１が故障し、映像信号の出力動作を停止したと仮定する。その場合、第２表示制御装置１２および映像信号生成装置１０１は当該故障を検出し、次のように動作する。映像信号生成装置１０１は、故障していない第２表示制御装置１２へ肉眼での直視に適した第３映像信号を出力する。当該第２表示制御装置１２は、単独で表示装置１０を制御し、映像信号生成装置１０１から入力された第３映像信号を、第１期間Ｐ１および第２期間Ｐ２に渡って（即ち、１フィールド内の全期間）連続して表示させる。
【００３０】
逆に、第２表示制御装置１２が故障した場合、映像信号生成装置１０１は、故障していない第１表示制御装置１１へ第３映像信号を出力し、当該第１表示制御装置１１が、単独で表示装置１０を制御して第３映像信号を第１期間Ｐ１および第２期間Ｐ２に渡って連続して表示させる。
【００３１】
このように、第１表示制御装置１１および第２表示制御装置１２のいずれかが故障しても、表示装置１０に第３映像信号に基づく映像が表示されるので、表示装置１０の画面を直視する人１０４は、故障発生後にも自然な色合いの映像を見ることができる。表示装置１０には肉眼での直視に適した第３映像信号のみが表示されるので、カメラ１０３での再撮像映像は青みがかったものになるが、表示装置１０の表示が完全に消えてしまうことは回避される。本実施の形態のように複数の表示装置１０で１つのスクリーンを構成してい場合、再撮像映像のスクリーンの一部が不自然な色合い（青みがかった色合い）になるものの、映像の一部が欠けてしまうことは回避できる。
【００３２】
このように、本実施の形態によれば、第１映像信号の表示と第２映像信号との表示を、それぞれ第１表示制御装置１１および第２表示制御装置１２が個別に行うので、当該第１表示制御装置１１および第２表示制御装置１２が処理する１フィールドあたりのデータは、通常のシステム（映像信号の切替えを行なわないシステム）と同じく１画面分のデータでよい。よって、第１表示制御装置１１および第２表示制御装置１２は、それぞれ通常の処理能力を有するものでよく、コストの上昇が抑えられる。また、第１表示制御装置１１および第２表示制御装置１２が、それぞれ単独で表示装置１０を駆動可能であるので、第１表示制御装置１１および第２表示制御装置１２のいずれか片方が故障した場合も続けて映像を表示することができる。
【００３３】
なお、本実施の形態では、１フィールド内の前半である第１期間に第１映像信号を表示し、後半である第２期間に第２映像信号を表示するよう構成したが、反対に第１期間に第２映像信号を表示し、後半である第２期間に第１映像信号を表示するようにしてもよい。その場合も表示装置１０を直視する人１０４は自然な色合いの映像を見ることができる。但し、シャッター制御装置１０２は、カメラ１０３が第２期間のみに撮像するようシャッターの開閉を制御する必要がある。
【００３４】
また本実施の形態では、故障検出後に表示される第３映像信号を映像信号生成装置１０１が生成する構成を示したが、第１表示制御装置１１および第２表示制御装置１２が生成するようにしてもよい。即ち、映像信号生成装置１０１は第１および第２映像信号のみを出力し、第１表示制御装置１１および第２表示制御装置１２が、故障の検出後にそれぞれ第１および第２映像信号を再変調して第３映像信号を生成するよう構成してもよい。
【００３５】
さらに、本実施の形態では、故障検出後には第１および第２映像信号とは異なる肉眼での直視に適した第３映像信号が表示されるよう構成したが、例えばカメラ１０３での再撮像映像の品質を優先させる場合は、上記第３映像信号に代えて、カメラでの再撮像に適した第１映像信号を出力するように構成してもよい。その場合、故障発生後には表示装置１０には赤みがかった色合いの映像が表示されるものの、表示装置１０の表示が完全に消えてしまうことは回避される。またこの場合は、カメラ１０３での再撮像映像は自然な色合いが保たれる。なお、表示装置１０を直視したときの品質を優先するか、カメラ１０３での再撮像映像の品質を優先させるかの選択、即ち、故障発生後に第３映像信号を表示するか、第１映像信号を表示するかの選択は、目的に応じて切替可能にしてもよい。
【００３６】
＜実施の形態２＞
図３は、本発明の実施の形態２に係る映像表示システムを示すブロック図である。同図の如く、当該映像表示システムは、立体映像生成装置２０１が生成する映像信号に基づいた映像を表示する表示ユニット２００を複数個有している。表示ユニット２００のそれぞれは、映像を画面に出力する表示装置２０と、当該表示装置２０の表示を制御する２つの制御装置、即ち第１表示制御装置２１および第２表示制御装置２２とから成っている。
【００３７】
表示装置２０は、例えばＬＥＤディスプレイや液晶ディスプレイなど、非走査方式のものである。また、複数の表示ユニット２００のそれぞれが有している表示装置２０は、互いに並べて配設されており、それら全体で１つのスクリーンを構成している。なお、複数の表示ユニット２００の構成はそれぞれ同様であるので、以下では説明の簡単のため、１つの表示ユニット２００に着目して説明する。
【００３８】
第１表示制御装置２１および第２表示制御装置２２は、それぞれ単独で表示装置２０の表示制御が可能なものであり、且つ、互いに相手の故障（動作停止）を検出することが可能になっている。具体的には、第１表示制御装置２１および第２表示制御装置２２は、互いに相手の映像信号出力を監視する回路を有しており、その出力が停止した場合、相手の装置が故障したと判定する。また、立体映像生成装置２０１も同様に、第１表示制御装置２１および第２表示制御装置２２の故障を検出することができるようになっている。
【００３９】
立体映像生成装置２０１は、所定の立体映像のための右目用の映像信号である第１映像信号と、当該所定の立体映像の左目用の映像信号である第２映像信号とを生成可能である。右目用および左目用の映像信号は、具体的には、例えば所定の被写体を互いに斜め右側と斜め左側とから撮像した映像信号などである。
【００４０】
通常状態では、立体映像生成装置２０１は、第１映像信号を第１表示制御装置２１へ出力し、第２映像信号を第２表示制御装置２２へと出力する。そして第１表示制御装置２１および第２表示制御装置２２は、それぞれ所定の間隔（後述する）で交互に、立体映像生成装置２０１から入力された第１および第２映像信号を表示するよう表示装置２０を駆動する。
【００４１】
また、第１表示制御装置２１および第２表示制御装置２２のそれぞれは、相手の故障（動作停止）を検出すると、それぞれ映像信号生成装置１０１から入力される映像信号（第１映像信号または第２映像信号）を連続して表示するよう表示装置２０を駆動するように構成されている。
【００４２】
さらに、この映像表示システムは、シャッター制御装置２０２から出力されるシャッター制御信号よってシャッターの開閉が制御されたシャッター付メガネ２０３を含んでいる。シャッター制御装置２０２は、立体映像生成装置２０１により制御されている。シャッター付メガネ２０３は、表示装置２０に第１映像信号の映像（右目用映像）が表示される期間にはメガネの左目側を閉じ、第２映像信号の映像（左目用映像）が表示される期間には右目側を閉じるようにシャッターの開閉が制御される。つまり、シャッター付メガネ２０３を装着して表示装置２０を見ると、右目用映像は右目のみで得られ、左目用映像は左目のみで得られる。そして、右目用映像と左目用映像を高速に切替えることにより、残像効果によって１つの立体映像として認識される仕組みになっている。
【００４３】
以下、本発明に係る映像表示システムの動作を説明する。
【００４４】
図４は、当該システムにおける通常状態の動作を示している。この例でも１フィールドの長さを１／６０秒としている。即ち、表示装置２０の垂直同期信号には、１／６０秒の間隔で、ローアクティブの信号が現れる。
【００４５】
上述のように、通常状態では、第１表示制御装置２１および第２表示制御装置２２には、それぞれ第１映像信号（右目用映像信号）および第２映像信号（左目用映像信号）が入力される。第１および第２映像信号における１フィールド内の画像データは、通常（立体映像表示を行なわないシステム）と同じく１画面分のデータであり、図４の如く１フィールドごとに遷移する。つまり、第１表示制御装置２１と第２表示制御装置２２へのデータ転送速度は、通常の表示装置の場合と同等でよい。
【００４６】
立体映像生成装置２０１は、映像信号の１フィールドを前半の第１期間Ｐ１と後半の第２期間Ｐ２とに分割するための切替信号を生成する。即ち図４に示すように、切替信号がローレベルの間は第１期間Ｐ１であり、ハイレベルの間は第２期間Ｐ２である。
【００４７】
第１表示制御装置２１および第２表示制御装置２２は、立体映像生成装置２０１からの上記切替信号に同期して動作する。切替信号がローレベルの間は、第１表示制御装置２１が、表示装置２０を制御して第１映像信号を表示させる。一方、切替信号がハイレベルの間は、第２表示制御装置１１が表示装置２０を制御して第２映像信号を表示させる。その結果、表示装置２０の画面出力は、図４の如く第１期間Ｐ１の間は第１映像信号の映像になり、第２期間Ｐ２の間は第２映像信号の映像になる。
【００４８】
立体映像生成装置２０１が生成する切替信号は、シャッター制御装置２０２にも入力される。シャッター制御装置２０２は、その切替信号に同期したシャッター制御信号をシャッター付メガネ２０３に送信することで、当該シャッター付メガネ２０３のシャッターの開閉を制御する。即ち、シャッター制御装置２０２はシャッター付メガネ２０３に対し、第１期間Ｐ１はは左目側を閉じるよう制御し、第２期間Ｐ２は右目側を閉じるよう制御する。つまり、シャッター付メガネ２０３を装着して表示装置２０を見ると、第１期間Ｐ１の右目用映像は右目のみで得られ、第２期間Ｐ２の左目用映像は左目のみで得られる。第１期間Ｐ１と第２期間Ｐ２とは約１／１２０秒で切替わるので、残像効果によって１つの立体映像に見える。
【００４９】
次に、第１表示制御装置２１および第２表示制御装置２２のいずれかが故障した場合の動作について説明する。上記のように、第１表示制御装置２１および第２表示制御装置２２は、互いの故障を検出することが可能である。また、第１表示制御装置２１および第２表示制御装置２２は、それぞれ単独で表示装置２０を制御することができるものである。
【００５０】
第１表示制御装置２１が故障し、映像信号の出力動作を停止したと仮定する。第２表示制御装置２２は当該故障を検出すると、単独で表示装置２０を制御して、立体映像生成装置２０１から入力される第２映像信号を第１期間Ｐ１および第２期間Ｐ２に渡って（即ち、１フィールド内の全期間）連続して表示させる。
【００５１】
逆に、第２表示制御装置２２が故障した場合は、第１表示制御装置２１が、単独で表示装置２０を制御して第１映像信号を第１期間Ｐ１および第２期間Ｐ２に渡って連続して表示させる。
【００５２】
このように、第１表示制御装置２１および第２表示制御装置２２のいずれかが故障しても、表示装置２０に第１および第２映像信号のいずれかの映像が常に表示されるので、シャッター付メガネ２０３を装着して表示装置２０の画面を見る者は、故障発生後にも右目用映像および左目用映像のいずれかは見ることができる。つまり、立体的な効果は得られないが、表示装置２０の表示が完全に消えてしまうことは回避される。本実施の形態のように複数の表示装置２０で１つのスクリーンを構成してい場合、再撮像映像のスクリーンの一部が立体的でなくなるものの、映像の一部が欠けてしまうことなく、全体としては立体映像表示を継続することができる。
【００５３】
このように、本実施の形態によれば、第１映像信号の表示と第２映像信号との表示を、それぞれ第１表示制御装置２１および第２表示制御装置２２が個別に行うので、当該第１表示制御装置２１および第２表示制御装置２２が処理する１フィールドあたりのデータは、通常のシステム（立体映像表示を行なわないシステム）と同じく１画面分のデータでよい。よって、第１表示制御装置２１および第２表示制御装置２２は、それぞれ通常の処理能力を有するものでよく、コストの上昇が抑えられる。また、第１表示制御装置２１および第２表示制御装置２２が、それぞれ単独で表示装置２０を駆動可能であるので、第１表示制御装置２１および第２表示制御装置２２のいずれか片方が故障した場合も続けて映像を表示することができる。
【００５４】
第１制御装置３２１または第２制御装置３２２から故障を通知し、他の表示ユニットも同様に片方の映像信号のみを表示し立体画像ではない表示で映像を表示する事ができる。また故障した一部の表示ユニットだけは左または右だけの表示のみで、他の表示ユニットでは左右の表示は継続するので、故障した表示ユニットでは立体映像表示はできないが、全体では画像が欠損することなく不完全ではあるが立体視表示が継続できる。
【００５５】
＜実施の形態３＞
図５は、本発明の実施の形態３に係る映像表示システムを示すブロック図である。この図において、図１に示したものと同様の要素には同一符号を付してあるので、それらの詳細な説明は省略する。
【００５６】
同図の如く、当該映像表示システムは、映像信号生成装置１１１が生成する映像信号に基づいた映像を表示する表示ユニット１１０を複数個有している。表示ユニット１１０のそれぞれは、図１に示した表示ユニット１００の構成に加え、予備の第３表示制御装置１３を備えている。
【００５７】
本実施の形態でも、複数の表示ユニット１１０のそれぞれが有している表示装置１０は、互いに並べて配設されており、それら全体で１つのスクリーンを構成している。複数の表示ユニット１１０の構成はそれぞれ同様であるので、以下では説明の簡単のため、１つの表示ユニット１１０に着目して説明する。
【００５８】
第３表示制御装置１３は、第１表示制御装置１１および第２表示制御装置１２と同様に表示装置１０を制御可能なものであり、且つ、第１表示制御装置１１および第２表示制御装置１２の故障（動作停止）を検出することが可能である。また、映像信号生成装置１１１も、第１表示制御装置１１および第２表示制御装置１２の故障（動作停止）を検出することが可能になっている。
【００５９】
第３表示制御装置１３は、予備のものであるので、通常状態では表示装置１０に対する制御は行なわない。つまり第３表示制御装置１３は、第１表示制御装置１１および第２表示制御装置１２のいずれかが故障した際に、その故障したものの代わりに表示装置１０を制御するものである。また映像信号生成装置１１１は、通常状態では実施の形態１の映像信号生成装置１０１と同様に機能するのみである。従って、通常状態における当該システムの動作は、実施の形態１と同様であるので説明は省略する。
【００６０】
以下、第１表示制御装置１１または第２表示制御装置１２が故障した場合の動作を説明する。ここで、第１表示制御装置１１が故障したと仮定する。映像信号生成装置１１１は、第１表示制御装置１１の故障を検出すると、それまで第１表示制御装置１１に出力していた第１映像信号を、第３表示制御装置１３へと出力し始める。第３表示制御装置１３は、第１表示制御装置１１の故障を検出すると、当該第１表示制御装置１１に代わって表示装置１０に第１映像信号を出力すると共に、表示装置１０に対し第１期間に第１映像信号を表示させるよう制御する。つまり、第１表示制御装置１１の故障発生後は、第３表示制御装置１３があたかも故障前の第１表示制御装置１１のように動作する。
【００６１】
逆に、第２表示制御装置１２が故障した場合には、映像信号生成装置１１１は第３表示制御装置１３へ第２映像信号を出力し始める。そして第３表示制御装置１３は、第２表示制御装置１２に代わって表示装置１０に第２映像信号を出力すると共に、表示装置１０に対し第２期間に第２映像信号を表示させるよう制御する。つまり、第２表示制御装置１２の故障発生後は、第３表示制御装置１３があたかも故障前の第２表示制御装置１２のように動作する。
【００６２】
このように、第１表示制御装置１１および第２表示制御装置１２のいずれかが故障しても、予備の第３表示制御装置１３がそれに成り代わって動作するので、表示装置１０の表示は故障発生前と同じように保たれる。従って、故障発生後も、表示装置１０を直視したときに得られる色バランスと、その再撮像映像の色バランスとの両方が良好に保つことができる。
【００６３】
なお、本実施の形態では、故障発生後に第３表示制御装置１３へ入力する映像信号を、映像信号生成装置１１１が選択するよう構成したが、第３表示制御装置１３が選択するようにしてもよい。即ち図６のように、第３表示制御装置１３には第１および第２映像信号の両方が入力され、第３表示制御装置１３が、第１表示制御装置１１が故障したときはそのうちの第１映像信号を表示装置１０へ出力し、逆に第２表示制御装置１２が故障したときはそのうちの第２映像信号を表示装置１０へ出力するよう構成してもよい。そのように構成すると、第３表示制御装置１３のための専用の信号経路が不要になるので、回路構成の簡略化を図ることができる。
【００６４】
＜実施の形態４＞
図７は、本発明の実施の形態４に係る映像表示システムを示すブロック図である。この図において、図３に示したものと同様の要素には同一符号を付してあるので、それらの詳細な説明は省略する。
【００６５】
同図の如く、当該映像表示システムは、立体映像生成装置２１１が生成する映像信号に基づいた映像を表示する表示ユニット２１０を複数個有している。表示ユニット２１０のそれぞれは、図３に示した表示ユニット２００の構成に加え、予備の第３表示制御装置２３を備えている。
【００６６】
本実施の形態でも、複数の表示ユニット２１０のそれぞれが有している表示装置２０は、互いに並べて配設されており、それら全体で１つのスクリーンを構成している。複数の表示ユニット２１０の構成はそれぞれ同様であるので、以下では説明の簡単のため、１つの表示ユニット２１０に着目して説明する。
【００６７】
第３表示制御装置２３は、第１表示制御装置２１および第２表示制御装置２２と同様に表示装置２０を制御可能なものであり、且つ、第１表示制御装置２１および第２表示制御装置２２の故障（動作停止）を検出することが可能である。また、立体映像生成装置２１１も、第１表示制御装置２１および第２表示制御装置２２の故障（動作停止）を検出することが可能になっている。
【００６８】
第３表示制御装置２３は、予備のものであるので、通常状態では表示装置２０に対する制御は行なわない。つまり第３表示制御装置２３は、第１表示制御装置２１および第２表示制御装置２２のいずれかが故障した際に、その故障したものの代わりに表示装置２０を制御するものである。また立体映像生成装置２１１は、通常状態では実施の形態２の立体映像生成装置２０１と同様に機能するのみである。従って、通常状態における当該システムの動作は、実施の形態２と同様であるので説明は省略する。
【００６９】
以下、第１表示制御装置２１または第２表示制御装置２２が故障した場合の動作を説明する。ここで、第１表示制御装置２１が故障したと仮定する。立体映像生成装置２１１は、第１表示制御装置２１の故障を検出すると、それまで第１表示制御装置２１に出力していた第１映像信号（右目用映像信号）を、第３表示制御装置２３へと出力し始める。第３表示制御装置２３は、第１表示制御装置２１の故障を検出すると、当該第１表示制御装置２１に代わって表示装置２０に第１映像信号を出力すると共に、表示装置２０に対し第１期間に第１映像信号を表示させるよう制御する。つまり、第１表示制御装置２１の故障発生後は、第３表示制御装置２３があたかも故障前の第１表示制御装置２１のように動作する。
【００７０】
逆に、第２表示制御装置２２が故障した場合には、立体映像生成装置２１１は第３表示制御装置２３へ第２映像信号（左目用映像信号）を出力し始める。そして第３表示制御装置２３は、第２表示制御装置２２に代わって表示装置２０に第２映像信号を出力すると共に、表示装置２０に対し第２期間に第２映像信号を表示させるよう制御する。つまり、第２表示制御装置２２の故障発生後は、第３表示制御装置２３があたかも故障前の第２表示制御装置２２のように動作する。
【００７１】
このように、第１表示制御装置２１および第２表示制御装置２２のいずれかが故障しても、予備の第３表示制御装置２３がそれに成り代わって動作するので、表示装置２０の表示は故障発生前と同じように保たれる。従って、故障発生後も、シャッター付メガネ２０３を装着して表示装置２０を見ると、立体映像を見ることができる。
【００７２】
なお、本実施の形態では、故障発生後に第３表示制御装置２３へ入力する映像信号を、立体映像生成装置２１１が選択するよう構成したが、第３表示制御装置２３が選択するようにしてもよい。即ち図８のように、第３表示制御装置２３には第１および第２映像信号の両方が入力され、第３表示制御装置２３が、第１表示制御装置２１が故障したときはそのうちの第１映像信号を表示装置２０へ出力し、逆に第２表示制御装置２２が故障したときはそのうちの第２映像信号を表示装置２０へ出力するよう構成してもよい。そのように構成すると、第３表示制御装置２３のための専用の信号経路が不要になるので、回路構成の簡略化を図ることができる。
【図面の簡単な説明】
【００７３】
【図１】実施の形態１に係る映像表示システムを示すブロック図である。
【図２】実施の形態１に係る映像表示システムの動作を説明するための図である。
【図３】実施の形態２に係る映像表示システムを示すブロック図である。
【図４】実施の形態２に係る映像表示システムの動作を説明するための図である。
【図５】実施の形態３に係る映像表示システムを示すブロック図である。
【図６】実施の形態３に係る映像表示システムの変形例を示す図である。
【図７】実施の形態４に係る映像表示システムを示すブロック図である。
【図８】実施の形態４に係る映像表示システムの変形例を示す図である。
【符号の説明】
【００７４】
１０，２０  表示装置、１１，１２，２１，２２  表示制御装置、１３，２３  予備の表示制御装置、１００，１１０，２００，２１０  表示ユニット、１０１，１１１  映像信号生成装置、１０２，２０２  シャッター制御装置、１０３  カメラ、２０１，２１１  立体映像生成装置、２０３  シャッター付メガネ。
【図１】
2006005830.tif 000003
【図２】
2006005830.tif 000004
【図３】
2006005830.tif 000005
【図４】
2006005830.tif 000006
【図５】
2006005830.tif 000007
【図６】
2006005830.tif 000008
【図７】
2006005830.tif 000009
【図８】
2006005830.tif 000010